(57)【要約】【課題】搬送を容易とし、納入先での組立作業を容易とし、さらに納入先での磁界調整作業を容易とする磁気共鳴イメージング装置マグネットを得る。【解決手段】磁界発生空間Ｄを挟んで対向して配置された一対のコイル２ａ，２ｂ、一対のコイル２ａ，２ｂの磁界発生空間Ｄと反対側で各々のコイルに各々隣接するように配置された一対のヨーク天板３，４及び一対のコイル２ａ，２ｂと一対のヨーク天板３，４を支持するヨーク支柱５を有し、一対のヨーク天板３，４は、各々コイルに近い側の第１ヨーク天板３ａ，４ａとコイルから遠い側の第２ヨーク天板３ｂ、４ｂとを含む複数枚に分割されており、一対のコイル２ａ，２ｂ、第１ヨーク天板３ａ，４ａ及びヨーク支柱５が、一体的に固定されてマグネット本体１１１を構成し、第２ヨーク天板３ｂ，４ｂは、マグネット本体１１１に対して着脱自在とされている。【選択図】        図１
2004267526.tif 000002
【特許請求の範囲】
【請求項１】
磁界発生空間を挟んで対向して配置された少なくとも一対のコイル、前記対となるコイルの前記磁界発生空間と反対側で各々のコイルに各々隣接するように前記コイルの上下に配置されたヨーク天板及び前記少なくとも一対のコイルと前記上下ヨーク天板を支持するヨーク支柱を有し、前記磁界発生空間に磁界を発生させる磁気共鳴イメージング装置マグネットにおいて、
前記上下ヨーク天板は、各々前記コイルに近い側の第１ヨーク天板と前記コイルから遠い側の第２ヨーク天板とを含む複数枚に分割されており、
前記少なくとも一対のコイル、前記第１ヨーク天板及び前記ヨーク支柱が、一体的に固定されてマグネット本体をなし、前記第２ヨーク天板は、前記マグネット本体に着脱自在とされている
ことを特徴とする磁気共鳴イメージング装置マグネット。
【請求項２】
前記ヨーク支柱は、前記少なくとも一対のコイル及び前記第１ヨーク天板を接続する第１ヨーク支柱と、前記第１ヨーク支柱を補助して剛性を高める第２ヨーク支柱とを含む複数本に分割されており、
前記マグネット本体は、前記少なくとも一対のコイル、前記第１ヨーク天板及び前記第１ヨーク支柱が、一体的に固定されたものであり、
前記第２ヨーク支柱は、前記マグネット本体に着脱自在とされている
ことを特徴とする請求項１に記載の磁気共鳴イメージング装置マグネット。
【請求項３】
前記少なくとも一対のコイルが各々収納される円筒状の容器をさらに備え、前記ヨーク支柱の分割面は、前記容器の外周面の前記ヨーク支柱に最も近い位置で前記外周面に外接する面に略平行であり、
前記マグネット本体に一体的に固定されるヨーク支柱は、分割された前記ヨーク支柱のうち、前記少なくとも一対のコイルに最も近い位置のものである
ことを特徴とする請求項２に記載の磁気共鳴イメージング装置マグネット。
【請求項４】
前記少なくとも一対のコイル間及び前記第１ヨーク天板間のいずれかに架け渡されるように着脱自在に設けられ、両者間を所定の剛性で固定する固定部材を有する
ことを特徴とする請求項１から３のいずれかに記載の磁気共鳴イメージング装置マグネット。
【請求項５】
磁界発生空間を挟んで対向して配置された少なくとも一対のコイル、前記対となるコイルの前記磁界発生空間と反対側で各々のコイルに各々隣接するように前記コイル上下に配置されたヨーク天板及び前記少なくとも一対のコイルと上下ヨーク天板を支持するヨーク支柱を有し、前記磁界発生空間に磁界を発生させる磁気共鳴イメージング装置マグネットを、所定の場所に搬送したのち組み立てる磁気共鳴イメージング装置マグネットの搬送組立方法であって、
前記ヨーク天板は、各々前記コイルに近い側の第１ヨーク天板と前記コイルから遠い側の第２ヨーク天板とを含む複数枚に分割されており、
前記少なくとも一対のコイル、前記第１ヨーク天板及び前記ヨーク支柱を、一体に固定してマグネット本体とする要部組立工程と、
前記マグネット本体と前記第２ヨーク天板とを前記所定の場所に搬送する搬送工程と、
前記マグネット本体に前記第２ヨーク天板を取り付ける全体組立工程とを有することを特徴とする磁気共鳴イメージング装置マグネットの搬送組立方法。
【請求項６】
前記搬送工程は、前記少なくとも一対のコイル間及び前記第１ヨーク天板間のいずれかに架け渡されるように着脱自在に設けられた固定部材で、両者間を所定の剛性で固定しながら搬送する
ことを特徴とする請求項５に記載の磁気共鳴イメージング装置マグネットの搬送組立方法。
【発明の詳細な説明】
【０００１】
【発明の属する技術分野】
この発明は磁気共鳴イメージング装置（以下、ＭＲＩ装置と称す）に関わり、特に、このＭＲＩ装置に用いられ、高磁場を発生する静磁場発生マグネットである磁気共鳴イメージング装置マグネット及びこのマグネットを納入先に搬送したのち組み立てる搬送組立方法に関するものである。
【０００２】
【従来の技術】
核磁気共鳴現象を利用して人体の断層画像を得るＭＲＩ装置は広く医療機関で利用されている。このＭＲＩ装置を用いた検査では、被検体の検査部位の内部構造を反映する必要から検査部位を配置する空間に均一な磁場強度を発生するマグネットを必要とする。
【０００３】
このＭＲＩ装置用のマグネットとしては、高い静磁場強度を達成できる超電導磁石の利用が普及しつつある。超電導マグネットを用いたＭＲＩ装置では、均一で高い静磁場強度が得られる。そのため、種々の高速撮影法による検査においても高品質の画像を得ることが可能となった。
【０００４】
このＭＲＩマグネットの構造に関して述べる。従来のＭＲＩマグネットは、まず、磁界を発生させる磁界発生空間を挟んで対向して配置された一対の超電導コイルを有している。そして、この一対の超電導コイルを各々収納する一対の容器であるクライオスタットを有している。超電導コイルは、このクライオスタット内で低温に保たれて収納されている。
【０００５】
また、一対のクライオスタットに対して磁界発生空間と反対側に、それぞれヨーク天板が配設されている。説明のためこの２枚の天板をヨーク上天板とヨーク下天板とする。ヨーク上天板とヨーク下天板は、一対の超電導コイルと協働して磁界発生空間に磁界を発生させる。そして、一対のクライオスタットとヨーク上天板とヨーク下天板とは、ヨーク支柱によって相互に所定の位置となるように接続されて組み立てられている。（例えば、特許文献１参照）。
【０００６】
【特許文献１】
特開２００２−１４３１２４号公報
【０００７】
【発明が解決しようとする課題】
このような構成のＭＲＩマグネットは、磁界発生空間に高均一な磁界を発生させる目的で、各部材は、相互に高い精度で位置決めされる必要がある。また、コイル及びヨーク天板の位置決めに関しては、さらに高均一な磁界とするために、製作過程で発生する製作誤差等の微小な誤差などを補正する必要がある。この補正においては、工場内にてＭＲＩマグネットを組み立てる際に、補正コイルを付加したり微小鉄片を挟み込むことで行われる。このようにして、磁界の均一度が調整されて組み立てられたＭＲＩマグネットは、その後、分解されて納入先まで搬送される。
【０００８】
ＭＲＩ装置用のマグネットは、一般に大型で重量が重いので、組み立てたままの状態で搬送することが難しい。そこで、一対のクライオスタット、ヨーク上天板、ヨーク下天板及びヨーク支柱は、分解・組立可能とされており、搬送の際には、一度組み立てたＭＲＩマグネットを分解し、個別の状態で納入先まで搬送し、納入先にて再度組み立てる。
【０００９】
このようにＭＲＩマグネットは、納入先まで搬送した後、再度組み立てることとなるが、工場において組み立てたのと同様に組み立てても、工場で調整した際に得られた高均一な磁界を再び得ることは容易ではなく、再度の調整作業が必要となる。このため、据え付け設置作業時間が長くなり、コスト増大につながるので改善が求められていた。
【００１０】
この発明は、上述のような課題を解決するためになされたもので、搬送を容易とすると共に、納入先での組立作業を容易なものとし、さらに納入先での磁界調整作業を容易なものとし、コストダウンを図ることができる磁気共鳴イメージング装置マグネット及びその搬送組立方法を得ることを目的とする。
【００１１】
【課題を解決するための手段】
この発明に係る磁気共鳴イメージング装置マグネットは、磁界発生空間を挟んで対向して配置された少なくとも一対のコイル、前記対となるコイルの前記磁界発生空間と反対側で各々のコイルに各々隣接するように前記コイルの上下に配置されたヨーク天板及び前記少なくとも一対のコイルと前記上下ヨーク天板を支持するヨーク支柱を有し、前記磁界発生空間に磁界を発生させる磁気共鳴イメージング装置マグネットにおいて、  前記上下ヨーク天板は、各々前記コイルに近い側の第１ヨーク天板と前記コイルから遠い側の第２ヨーク天板とを含む複数枚に分割されており、前記少なくとも一対のコイル、前記第１ヨーク天板及び前記ヨーク支柱が、一体的に固定されてマグネット本体をなし、前記第２ヨーク天板は、前記マグネット本体に着脱自在とされている。
【００１２】
また、この発明に係る磁気共鳴イメージング装置マグネットの搬送組立方法は、磁界発生空間を挟んで対向して配置された少なくとも一対のコイル、前記対となるコイルの前記磁界発生空間と反対側で各々のコイルに各々隣接するように前記コイル上下に配置されたヨーク天板及び前記少なくとも一対のコイルと上下ヨーク天板を支持するヨーク支柱を有し、前記磁界発生空間に磁界を発生させる磁気共鳴イメージング装置マグネットを、所定の場所に搬送したのち組み立てる磁気共鳴イメージング装置マグネットの搬送組立方法であって、前記ヨーク天板は、各々前記コイルに近い側の第１ヨーク天板と前記コイルから遠い側の第２ヨーク天板とを含む複数枚に分割されており、前記少なくとも一対のコイル、前記第１ヨーク天板及び前記ヨーク支柱を、一体に固定してマグネット本体とする要部組立工程と、前記マグネット本体と前記第２ヨーク天板とを前記所定の場所に搬送する搬送工程と、前記マグネット本体に前記第２ヨーク天板を取り付ける全体組立工程とを有する。
【００１３】
【発明の実施の形態】
実施の形態１．
図１はこの発明の実施の形態１の磁気共鳴イメージング装置マグネットの一部を断面とする側面図である。ここでは、一対のコイルの例を示すが、コイルは一対以上でもかまわないものである。図２は第２ヨーク上天板と第２ヨーク下天板がマグネット本体から着脱される様子を示す一部を断面とする側面図である。図３はヨーク天板に磁極が発生する様子を示す一部を断面とする側面図である。本実施の形態のＭＲＩマグネット１１０は、磁界発生空間Ｄを挟んで対向して配置された一対のクライオスタット１ａ，１ｂを有している。クライオスタット１ａ，１ｂは、内部が低温に保たれる容器であり、内部に超電導コイルであるコイル２ａ，２ｂを収納している。一側のクライオスタット１ａには、コイル２ａが収納され、他側のクライオスタット１ｂには、コイル２ｂが収納されている。コイル２ａとコイル２ｂとは、マグネット中心Ｏを対称の点として磁界発生空間Ｄを挟んで対称な位置に対をなすように配置されている。
【００１４】
クライオスタット１ａ，１ｂに対して磁界発生空間Ｄと反対側に、各々のクライオスタット１ａ，１ｂに対してそれぞれ隣接してヨーク上天板３（ヨーク天板）とヨーク下天板４（ヨーク天板）が配設されている。ヨーク上天板３とヨーク下天板４は、クライオスタット１ａ，１ｂに主面を対向させて配設されている。
【００１５】
ヨーク上天板３は、クライオスタット１ａの主面に対して平行な面で分割され、クライオスタット１ａに近い側の第１ヨーク上天板３ａ（第１ヨーク天板）と、クライオスタット１ａから遠い側の第２ヨーク上天板３ｂ（第２ヨーク天板）の２枚の天板にされている。ヨーク下天板４も同じように、クライオスタット１ｂの主面に対して平行な面で分割され、クライオスタット１ｂに近い側の第１ヨーク下天板４ａ（第１ヨーク天板）と、クライオスタット１ｂから遠い側の第２ヨーク下天板４ｂ（第２ヨーク天板）とに分割されている。
【００１６】
ＭＲＩマグネット１１０は、さらにヨーク支柱５を有している。ヨーク支柱５は、一対のコイル２ａ，２ｂ間が所定の間隔Ｂとなるように、一対のクライオスタット１ａ，１ｂを支持している。また、ヨーク支柱５は、第１ヨーク上天板３ａと第１ヨーク下天板４ａが所定の間隔Ａとなるように両者を支持している。このように構成された、一対のクライオスタット１ａ，１ｂ、一対のコイル２ａ，２ｂ、第１ヨーク上天板３ａ、第１ヨーク下天板４ａ及びヨーク支柱５は、一体的に固定されてマグネット本体１１１をなしている。そして、第２ヨーク上天板３ｂは、第１ヨーク上天板３ａに対して、着脱自在に取り付け可能とされている。第２ヨーク下天板４ｂは、第１ヨーク下天板４ａに対して、着脱自在に取り付け可能とされている。
【００１７】
このような構成のＭＲＩマグネット１１０においては、一対のコイル２ａ，２ｂを励磁すると、第１ヨーク上天板３ａの磁界発生空間Ｄ側の主面である磁極面３ｆと、第１ヨーク下天板４ａの磁界発生空間Ｄ側の主面である磁極面４ｆに、それぞれ磁極Ｇ１と磁極Ｇ２が発生し、この磁極は磁界発生空間Ｄに磁界を形成する。そして、この磁界発生空間Ｄに形成される磁界を高均一なものとするためには、磁極面３ｆと磁極面４ｆとの間隔Ａが高精度に位置決めされなければならない。
【００１８】
尚、本実施の形態のＭＲＩマグネット１１０は、ヨーク上天板３とヨーク下天板４がそれぞれ２枚に分割されているため、第１ヨーク上天板３ａの磁極面３ｆと反対側の面に磁極Ｇ３、及びこれに対向する第２ヨーク上天板３ｂの主面に磁極Ｇ５が発生し、一方、第１ヨーク下天板４ａの磁極面４ｆと反対側の面に磁極Ｇ４、及びこれに対向する第２ヨーク下天板４ｂの主面に磁極Ｇ６が発生するが、磁極Ｇ３と磁極Ｇ５及び磁極Ｇ４と磁極Ｇ６は互いに打ち消されるため、これらの磁極が磁界発生空間Ｄに与える影響は僅かである。
【００１９】
次に、ＭＲＩマグネット１１０の搬送組立方法を説明する。一対のコイル２ａ，２ｂ、クライオスタット１ａ，１ｂ、第１ヨーク上天板３ａ及び第１ヨーク下天板４ａからなるマグネット本体１１１は、工場にて高精度な位置決めをされて一体的に精密に組み立てられる（要部組立工程）。そして、このマグネット本体１１１に第２ヨーク上天板３ｂと第２ヨーク下天板４ｂとが取り付けられる。このようにして全体が組み立てられた後に、磁界の均一度が調整される。この調整においては、製作誤差等の微小な誤差などを補正する目的で、必要に応じて、図示しない補正コイルが付加されたり微小鉄片を挟み込まれたりする。
【００２０】
その後、ＭＲＩマグネット１１０は、納入先まで搬送されることとなるが、この搬送時には、第２ヨーク上天板３ｂ及び第２ヨーク下天板４ｂと、ＭＲＩマグネット本体１０とが分解されて搬送される（搬送工程）。なお、磁界調整後にコイル２ａ，２ｂを消磁すれば、第２ヨーク上天板３ｂ及び第２ヨーク下天板４ｂは、容易に分解することが可能である。
【００２１】
そして、搬送された後、納入先の所定の場所にて、マグネット本体１０に第２ヨーク上天板３ｂと第２ヨーク下天板４ｂとが取り付けられて設置される（全体組立工程）。
【００２２】
このような構成のＭＲＩマグネット１１０においては、コイル２ａ，２ｂ及び第１ヨーク上下天板３ａ，４ａが一体的に固定されたまま搬送されるため、従来の方法に比べ、磁極面３ｆと磁極面４ｆとの間隔Ａ及びコイル２ａ，２ｂの間隔Ｂの変化が小さく、納入先で組み立てた際の磁界均一度が工場での磁界均一度に近くなり、納入先での磁界調整作業の時間を短縮することができる。
【００２３】
また、マグネット本体１１１と、第２ヨーク上下天板３ｂ，４ｂとを分解して搬送するので、ＭＲＩマグネットを全く分解しないで搬送する場合に比べ搬送時の重量を低減することができる。
【００２４】
尚、本実施の形態のＭＲＩマグネット１１０においては、一対のコイル２ａ，２ｂが超電導コイルであるので、内部が低温に保たれた容器であるクライオスタット１ａ，１ｂ内に収納されているが、一対のコイルが超電導コイルでない場合、必ずしもクライオスタット１ａ，１ｂに収納される必要はなく、その場合は、一対のコイルが直接ヨーク支柱５に支持されてもよい。以降の実施の形態についても同様である。
尚、本実施の形態においては、一対のコイルを有するＭＲＩマグネット１１０について述べたが、ＭＲＩマグネットの有するコイルは、一対に限らず一対以上でも同様の効果を得ることができる。
【００２５】
実施の形態２．
図４はこの発明の実施の形態２の磁気共鳴イメージング装置マグネットの一部を断面とする側面図である。本実施の形態のＭＲＩマグネット１２０においては、ヨーク上天板３が、クライオスタット１ａに対して平行な面で、第１ヨーク上天板３ａ、第２ヨーク上天板３ｂ及び第３ヨーク上天板３ｃの３枚の天板に分割されている。一方、ヨーク下天板４は、クライオスタット１ｂに対して平行な面で、第１ヨーク下天板４ａ、第２ヨーク下天板４ｂ及び第３ヨーク下天板４ｃの３枚の天板に分割されている。
【００２６】
本実施の形態のＭＲＩマグネット１２０のように、必要に応じてヨーク上天板３及びヨーク下天板４を２個以上の複数個に分割してもよい。そして、搬送時はマグネットの中心に近い最内側の第１ヨーク上天板３ａ及び第１ヨーク下天板４ａと一対のクライオスタット１ａ，１ｂとを一体化してマグネット本体１２１が構成されればよい。尚、多数枚に分割したヨーク天板のうちの一枚とクライオスタットとを一体化するばかりでなく、二枚以上の天板とクライオスタットと一体化してもよい。
【００２７】
実施の形態３．
図５はこの発明の実施の形態３の磁気共鳴イメージング装置マグネットの一部を断面とする側面図である。本実施の形態のＭＲＩマグネット１３０においては、ヨーク支柱５が、一対のコイル２ａ，２ｂを相互に接続する第１ヨーク支柱５ａと、この第１ヨーク支柱５ａを補助して剛性を高める第２ヨーク支柱５ｂとに分割されている。すなわち、ヨーク支柱５の軸線方向に平行な面で２本に分割されている。
【００２８】
そして、マグネット本体１３１は、一対のクライオスタット１ａ，１ｂ、一対のコイル２ａ，２ｂ、第１ヨーク上天板３ａ、第１ヨーク下天板４ａ及び第１ヨーク支柱５ａが一体的に固定されたもので構成されている。第２ヨーク支柱５ｂは、マグネット本体１３１に対して着脱自在とされている。
【００２９】
このような構成のＭＲＩマグネット１３０においては、ＭＲＩマグネットを全く分解しないで搬送する場合に比べ搬送時の重量をさらに低減することができる。尚、本実施の形態においては、第１ヨーク支柱５ａがマグネット本体１０に一体化されているが、第２ヨーク支柱５ｂの方がマグネット本体１３１に一体化されてもよい。また、ヨーク支柱５の分割される本数は、２本以上でも問題はなく、また、本実施の形態においてマグネット本体１３１と一体化されたヨーク支柱は１本であるが、２本以上とされてもかまわない。
【００３０】
実施の形態４．
図６はこの発明の実施の形態４の磁気共鳴イメージング装置マグネットの一部を断面とする側面図である。本実施の形態のＭＲＩマグネット１４０は、第１ヨーク支柱１５ａが、第１ヨーク上下天板１３ａ，１４ａを一体的に接続し、第２ヨーク支柱１５ｂが、第２ヨーク上下天板１３ｂ，１４ｂを一体的に接続している。一対のクライオスタット１ａ，１ｂ、一対のコイル２ａ，２ｂ、第１ヨーク上天板１３ａ、第１ヨーク下天板１４ａ及び第１ヨーク支柱１５が、一体的に固定されてマグネット本体１４１をなしている。このような構成のＭＲＩマグネット１４０においても、実施の形態３と概略同様な効果を得ることができる。
【００３１】
実施の形態５．
図７はこの発明の実施の形態５の磁気共鳴イメージング装置マグネットの側面図である。図８は図７の磁気共鳴イメージング装置マグネットの上面図である。図９はこの実施の形態のマグネット本体の側面図である。図１０は図９のマグネット本体の上面図である。本実施の形態のＭＲＩマグネット１５０は、ヨーク右支柱２５とヨーク左支柱２６の２本のヨーク支柱を有している。ヨーク右支柱２５は、第１のヨーク右支柱２５ａ、第２のヨーク右支柱２５ｂ、第３のヨーク右支柱２５ｃに分割されている。一方、ヨーク左支柱２６は、第１のヨーク左支柱２６ａ、第２のヨーク左支柱２６ｂ、第３のヨーク左支柱２６ｃに分割されている。
【００３２】
ヨーク上天板３は、クライオスタット１ａに対して平行な面で分割され、クライオスタット１ａに近い側の第１ヨーク上天板３ａと、クライオスタット１ａから遠い側の第２ヨーク上天板３ｂの２枚の天板にされている。ヨーク下天板４も同じように、クライオスタット１ｂに対して平行な面で分割され、クライオスタット１ｂに近い側の第１ヨーク下天板４ａと、クライオスタット１ｂから遠い側の第２ヨーク下天板４ｂとに分割されている。第１ヨーク上天板３ａ、第１ヨーク下天板４ａ、第３のヨーク右支柱２５ｃ及び第１のヨーク左支柱２６ａがマグネット本体１５１を構成している。そして、第１のヨーク右支柱２５ａ、第２のヨーク右支柱２５ｂ、第２のヨーク左支柱２６ｂ及び第３のヨーク左支柱２６ｃが、マグネット本体１５１に対して、着脱自在とされている。このような構成のＭＲＩマグネット１５０においても、概略同様な効果を得ることができる。
【００３３】
実施の形態６．
図１１はこの発明の実施の形態６の磁気共鳴イメージング装置マグネットの側面図である。図１２は図１１の磁気共鳴イメージング装置マグネットの上面図である。図１３はこの実施の形態のマグネット本体の側面図である。図１４は図１３のマグネット本体の上面図である。本実施の形態のＭＲＩマグネット１６０は、１本のヨーク支柱３５を有している。そして、ヨーク支柱３５は、第１のヨーク支柱３５ａ、第２のヨーク支柱３５ｂ、第３のヨーク支柱３５ｃ及び第４のヨーク支柱３５ｄの４本に分割されている。
【００３４】
そして、第１ヨーク上天板３ａ、第１ヨーク下天板４ａ、第１のヨーク支柱３５ａ及び第４のヨーク支柱３５ｃがマグネット本体１６１を構成している。第２のヨーク支柱３５ｂと第３のヨーク支柱３５ｃは、マグネット本体１６１に対して、着脱自在とされている。このような構成のＭＲＩマグネット１６０においても、概略同様な効果を得ることができる。尚、マグネット本体１６１に一体的に固定されるヨーク支柱は、第１のヨーク支柱３５ａ、第２のヨーク支柱３５ｂ、第３のヨーク支柱３５ｃ及び第４のヨーク支柱３５ｄのいずれか２本であればよい。
【００３５】
実施の形態７．
図１５はこの発明の実施の形態７の磁気共鳴イメージング装置マグネットの側面図である。図１６は図１５の磁気共鳴イメージング装置マグネットの上面図である。図１７はこの実施の形態のマグネット本体の側面図である。図１８は図１７のマグネット本体の上面図である。本実施の形態のＭＲＩマグネット１７０のクライオスタット１ａ，１ｂは、内部にコイルを収納し、外観は薄型扁平状の円筒形をなしている。そして、ヨーク右支柱４５とヨーク左支柱４６の２本のヨーク支柱を有している。ヨーク右支柱４５は、第１のヨーク右支柱４５ａ、第２のヨーク右支柱４５ｂ、第３のヨーク右支柱４５ｃに分割されている。一方、ヨーク左支柱４６は、第１のヨーク左支柱４６ａ、第２のヨーク左支柱４６ｂ、第３のヨーク左支柱４６ｃに分割されている。そして、各々のヨーク支柱の分割面は、クライオスタット１ａ，１ｂの外周面のヨーク右支柱４５及びヨーク左支柱４６に最も近い位置で、この外周面に外接する面Ｃ１，Ｃ２に平行とされている。
【００３６】
ヨーク上天板３は、第１ヨーク上天板３ａと第２ヨーク上天板３ｂに分割され、ヨーク下天板４は、第１ヨーク下天板４ａと第２ヨーク下天板４ｂとに分割されている。そして、第１ヨーク上天板３ａ、第１ヨーク下天板４ａ、第１のヨーク右支柱４５ａ及び第１のヨーク左支柱４６ａがマグネット本体１７１を構成している。
【００３７】
このような構成のＭＲＩマグネット１７０においては、一対のコイルが各々収納される円筒状のクライオスタット１ａ，１ｂを有し、各々ヨーク支柱の分割面は、クライオスタット１ａ，１ｂの外周面のヨーク右支柱４５及びヨーク左支柱４６に最も近い位置で、この外周面に外接する面Ｃ１，Ｃ２に平行であり、マグネット本体１７１に一体的に固定されるヨーク支柱は、分割されたヨーク支柱のうち、一対のコイルに最も近い位置の第１のヨーク右支柱４５ａ及び第１のヨーク左支柱４６ａとされている。このように、磁界均一度に最も影響を与える磁界発生空間に近い側のヨーク支柱が選択されてマグネット本体１７１を構成しているので、コイルに最も近い位置の第１のヨーク右支柱４５ａ及び第１のヨーク左支柱４６ａの調整を不要とすることができ、磁界発生空間へ与える影響を最小化することができる。
【００３８】
尚、本実施の形態においては、左右のヨーク支柱からそれぞれ１本が選択されてマグネット本体１７１を構成しているが、それぞれ複数本が選択されてマグネット本体が構成されてもよい。また、本実施の形態のＭＲＩマグネット１７０は、ヨーク右支柱４５とヨーク左支柱４６の２本のヨーク支柱を有しているものであるが、図５や図６に示されるような１本のヨーク支柱をもつようなＭＲＩマグネットに適応されてもよい。
【００３９】
実施の形態８．
図１９はこの発明の実施の形態８の磁気共鳴イメージング装置マグネットの一部を断面とする側面図である。図２０は第１ヨーク上天板と第１ヨーク下天板との間隔が広がってしまった様子を示す一部を断面とする側面図である。本実施の形態のＭＲＩマグネットは、第１ヨーク上天板１３ａと第１ヨーク下天板１４ａに架け渡されるように着脱自在に設けられ、両者間を所定の剛性で固定する固定部材１４２を有している。その他の構成は実施の形態４と同様である。
【００４０】
固定部材１４２は、マグネット本体１４１の搬送時に取り付けられて、磁極面３ｆと磁極面４ｆとの間隔Ａが、図２０にＡ２で示すように広がってしまうことを防止する。そして、固定部材１４２は、マグネットの組立完了後に取り外される。
【００４１】
このような構成のマグネット本体１４１は、搬送時に使用される固定部材１４２を有しているので、磁場精度の大きな要因となる磁極面３ｆと磁極面４ｆとの間隔Ａと、一対のコイル２ａ，２ｂの間隔Ｂが、搬送際に変化してしまうことが抑制され、現地での磁界調整作業が大幅に短縮される。
【００４２】
尚、本実施の形態の固定部材１４２は、第１ヨーク上天板１３ａと第１ヨーク下天板１４ａとの間に架け渡されるように設けられているが、一対のクライオスタット１ａ，１ｂの間に架け渡されるように設けられてもよい。
【００４３】
実施の形態９．
図２１はこの発明の実施の形態９の磁気共鳴イメージング装置マグネットの組立方法を示す工程図である。本実施の形態のＭＲＩマグネットは実施の形態８と同様なものとする。図２１（ａ）において、まず、地面４９に分割された複数枚の天板のうち、第２ヨーク下天板１４ｂが所定の位置に設置される。次に、図２１（ｂ）に示されるように、第２ヨーク下天板１４ｂ上に一体化されたマグネット本体１４１が載置される。
【００４４】
その後、図２１（ｂ）に示されるように、マグネット本体１４１に、第２ヨーク上天板１３ｂと第２ヨーク支柱１５ｂが取り付けられる。最後に、図２１（ｃ）に示されるように、固定部材１４２がマグネット本体１４１から取り外されて、ＭＲＩマグネットの設置・組立が完了する。
【００４５】
【発明の効果】
この発明に係る磁気共鳴イメージング装置マグネットは、磁界発生空間を挟んで対向して配置された少なくとも一対のコイル、前記対となるコイルの前記磁界発生空間と反対側で各々のコイルに各々隣接するように前記コイルの上下に配置されたヨーク天板及び前記少なくとも一対のコイルと前記上下ヨーク天板を支持するヨーク支柱を有し、前記磁界発生空間に磁界を発生させる磁気共鳴イメージング装置マグネットにおいて、  前記上下ヨーク天板は、各々前記コイルに近い側の第１ヨーク天板と前記コイルから遠い側の第２ヨーク天板とを含む複数枚に分割されており、前記少なくとも一対のコイル、前記第１ヨーク天板及び前記ヨーク支柱が、一体的に固定されてマグネット本体をなし、前記第２ヨーク天板は、前記マグネット本体に着脱自在とされているので、搬送を容易とすると共に、納入先での組立作業を容易とし、さらに納入先での磁界調整作業を容易なものとし、コストダウンを図ることができる。
【００４６】
また、この発明に係る磁気共鳴イメージング装置マグネットの搬送組立方法は、磁界発生空間を挟んで対向して配置された少なくとも一対のコイル、前記対となるコイルの前記磁界発生空間と反対側で各々のコイルに各々隣接するように前記コイル上下に配置されたヨーク天板及び前記少なくとも一対のコイルと上下ヨーク天板を支持するヨーク支柱を有し、前記磁界発生空間に磁界を発生させる磁気共鳴イメージング装置マグネットを、所定の場所に搬送したのち組み立てる磁気共鳴イメージング装置マグネットの搬送組立方法であって、前記ヨーク天板は、各々前記コイルに近い側の第１ヨーク天板と前記コイルから遠い側の第２ヨーク天板とを含む複数枚に分割されており、前記少なくとも一対のコイル、前記第１ヨーク天板及び前記ヨーク支柱を、一体に固定してマグネット本体とする要部組立工程と、前記マグネット本体と前記第２ヨーク天板とを前記所定の場所に搬送する搬送工程と、前記マグネット本体に前記第２ヨーク天板を取り付ける全体組立工程とを有するので、搬送が容易であり、納入先での組立作業時間が削減される。さらに納入先での磁界調整作業時間を大幅に削減することができ、コストダウンを図ることができる。
【図面の簡単な説明】
【図１】この発明の実施の形態１の磁気共鳴イメージング装置マグネットの一部を断面とする側面図である。
【図２】この発明の実施の形態１の第２ヨーク上天板と第２ヨーク下天板がマグネット本体から着脱される様子を示す一部を断面とする側面図である。
【図３】この発明の実施の形態１のヨーク天板に磁極が発生する様子を示す一部を断面とする側面図である。
【図４】この発明の実施の形態２の磁気共鳴イメージング装置マグネットの一部を断面とする側面図である。
【図５】この発明の実施の形態３の磁気共鳴イメージング装置マグネットの一部を断面とする側面図である。
【図６】この発明の実施の形態４の磁気共鳴イメージング装置マグネットの一部を断面とする側面図である。
【図７】この発明の実施の形態５の磁気共鳴イメージング装置マグネットの側面図である。
【図８】図７の磁気共鳴イメージング装置マグネットの上面図である。
【図９】この発明の実施の形態５のマグネット本体の側面図である。
【図１０】図９のマグネット本体の上面図である。
【図１１】この発明の実施の形態６の磁気共鳴イメージング装置マグネットの側面図である。
【図１２】図１１の磁気共鳴イメージング装置マグネットの上面図である。
【図１３】この発明の実施の形態６のマグネット本体の側面図である。
【図１４】図１３のマグネット本体の上面図である。
【図１５】この発明の実施の形態７の磁気共鳴イメージング装置マグネットの側面図である。
【図１６】図１５の磁気共鳴イメージング装置マグネットの上面図である。
【図１７】この発明の実施の形態７のマグネット本体の側面図である。
【図１８】図１７のマグネット本体の上面図である。
【図１９】この発明の実施の形態８の磁気共鳴イメージング装置マグネットの一部を断面とする側面図である。
【図２０】第１ヨーク上天板と第１ヨーク下天板との間隔が広がってしまった様子を示す一部を断面とする側面図である。
【図２１】この発明の実施の形態９の磁気共鳴イメージング装置マグネットの組立方法を示す工程図である。
【符号の説明】
１ａ，１ｂ  クライオスタット、２ａ，２ｂ  コイル、３  ヨーク上天板（ヨーク天板）、３ａ，１３ａ  第１ヨーク上天板（第１ヨーク天板）、３ｂ，１３ｂ  第２ヨーク上天板（第２ヨーク天板）、３ｆ，４ｆ  磁極面、４  ヨーク下天板（ヨーク天板）、４ａ，１４ａ  第１ヨーク下天板（第１ヨーク天板）、４ｂ，１４ｂ  第２ヨーク下天板（第２ヨーク天板）、５，１５，３５  ヨーク支柱、５ａ，１５ａ，３５ａ  第１ヨーク支柱、５ｂ，１５ｂ，３５ｂ  第２ヨーク支柱、３５ｃ  第３ヨーク支柱、３５ｄ  第４ヨーク支柱、２５，４５  ヨーク右支柱、２５ａ，４５ａ  第１ヨーク右支柱、２５ｂ，４５ｂ  第２ヨーク右支柱、２５ｃ，４５ｃ  第３ヨーク右支柱、２６，４６  ヨーク左支柱、２６ａ，４６ａ  第１ヨーク左支柱、２６ｂ，４６ｂ  第２ヨーク左支柱、２６ｃ，４６ｃ  第３ヨーク左支柱、１１０，１２０，１３０，１４０，１５０，１６０，１７０  ＭＲＩマグネット、１１１，１２１，１３１，１４１，１５１，１６１，１７１  マグネット本体、０  マグネット中心、Ａ  両磁極面間の間隔、Ｂ  一対のコイル間の間隔、Ｄ  磁界発生空間。
【図１】
2004267526.tif 000003
【図２】
2004267526.tif 000004
【図３】
2004267526.tif 000005
【図４】
2004267526.tif 000006
【図５】
2004267526.tif 000007
【図６】
2004267526.tif 000008
【図７】
2004267526.tif 000009
【図８】
2004267526.tif 000010
【図９】
2004267526.tif 000011
【図１０】
2004267526.tif 000012
【図１１】
2004267526.tif 000013
【図１２】
2004267526.tif 000014
【図１３】
2004267526.tif 000015
【図１４】
2004267526.tif 000016
【図１５】
2004267526.tif 000017
【図１６】
2004267526.tif 000018
【図１７】
2004267526.tif 000019
【図１８】
2004267526.tif 000020
【図１９】
2004267526.tif 000021
【図２０】
2004267526.tif 000022
【図２１】
2004267526.tif 000023